(57)【要約】【課題】柄を有する物品や棒状、パイプ状の物品を整頓して保管することができ、而も風や振動によっても外れて倒れることがない。【解決手段】壁面にネジ止めする支持基板２の前面に、一対の保持枠３、４を固定する。一対の保持枠３、４の夫々の保持板３ｂ、４ｂと支持基板２との間の枠状空間に、Ｕ字形に折曲した一対のクランプ杆６、７の夫々の折曲した両端部６ａ、７ａを嵌め込む。またこれと同時に一対のクランプ杆６、７の本体の端部近傍を保持板３ｂ、４ｂに設けたクランプ杆の保持用切欠溝５、５に保持する。そして該一対のクランプ杆６、７は、夫々上面からみて中央部を外側に膨らむように曲げると共に先端側を外側に所要の角度に曲げる。【選択図】　　　　図１
0003097921.tif 000002
【実用新案登録請求の範囲】
【請求項１】
適宜の箇所に取り付けネジの挿通孔を設けた方形の支持基板と、前記支持基板の前面に横方向に平行して固定した、夫々前記支持基板に接着した支持板の内端から断面Ｌ字形の保持板を先端が向き合うようにして立ち上げて構成し、該保持板の先端間には所要の広さの間隙を設けると共に、該保持板の夫々に、位置を合わせて少なくとも２箇所にクランプ杆の保持用切欠溝を設けてなる一対の保持枠と、バネ材からなり、いずれもＵ字形に折曲して両端部を上面からみて外側に直角に折曲し、更に上面からみて中央部を外側に膨らむように曲げると共に先端側を外側に所要の角度に曲げてなる一対のクランプ杆とをもって構成してなることを特徴とする竹ぼうき等の保管用クランプ。
【請求項２】
クランプ杆の保持用切欠溝を、可能な範囲で３箇所以上に設けてなる請求項１記載の竹ぼうき等の保管用クランプ。
【請求項３】
支持基板の、一対の保持枠における保持板の先端対向間隙内の箇所に、所要数のネジ挿通孔を設ける一方、両端部を直角に折曲すると共に幅方向の中心部における前記支持基板に設けたネジ挿通孔と一致する箇所にネジ挿通孔を設けた帯板状の補強板を支持基板と別体に製作し、該帯板状の補強板を、一対の保持枠における両保持板の先端部分に跨がるように被せてネジ止めするようになした請求項１又は２記載の竹ぼうき等の保管用クランプ。
【請求項４】
一枚の板を折曲し、適宜の箇所に後記支持板とを貫通する取り付けネジの挿通孔を設けた方形の支持基板と、前記支持基板の前面に横方向に平行になるようになした、夫々前記支持基板の上下縁部に延設し、これを内向きに折曲して支持基板上に重なるようになした支持板の内端から断面Ｌ字形の保持板を先端が向き合うようにして立ち上げ、該保持板の先端間には所要の広さの間隙を設けると共に、該保持板の夫々に、位置を合わせて少なくとも２箇所にクランプ杆の保持用切欠溝を設けてなる一対の保持枠とを形成し、これと、バネ材からなり、いずれもＵ字形に折曲して両端部を上面からみて外側に直角に折曲し、更に上面からみて中央部を外側に膨らむように曲げると共に先端側を外側に所要の角度に曲げてなる一対のクランプ杆とをもって構成してなることを特徴とする竹ぼうき等の保管用クランプ。
【考案の詳細な説明】
【０００１】
【考案の属する技術分野】
本考案は、竹ぼうき、スコップ、鍬等の柄を有する物品や、鉄パイプ、ゴムホース等の棒状或いはパイプ状の部材を保管するときに、整頓して保管することができるようにするための保管用クランプに関するものである。
【０００２】
【従来の技術】
竹ぼうき、スコップ等の柄を有する物品は、不使用時には柄の部分を上に或いは下にして壁面に立て掛けておくことが多い。しかし、単に立て掛けておくだけだと、向きや間隔がばらばらになり易い。また不安定であることから、風が吹いたり或いは振動等の僅かな外力によって倒れ易い。そしてまたこのため、幾つものものを折角整頓して並べておいても、全部が崩れて倒れてしまうこともしばしば経験するところである。また、これは鉄パイプ等の棒状の物品を保管する場合にも同様である。また、ゴムホースの場合には、通常丸めて地面に置くことが多く、通行の邪魔になるばかりでなく、保管スペースも広くとらなければならない。
【０００３】
【考案が解決しようとする課題】
本考案は上記の点に鑑みなされたものであって、柄を有する物品を整頓して保管することができると共に風や振動によっても外れて倒れることがなく、またゴムホースの場合には壁面に掛けて保管することができるようになした保管用クランプを提供せんとするものである。
【０００４】
【課題を解決するための手段】
而して、本考案の要旨は以下の通りである。
（１）適宜の箇所に取り付けネジの挿通孔を設けた方形の支持基板と、前記支持基板の前面に横方向に平行して固定した、夫々前記支持基板に接着した支持板の内端から断面Ｌ字形の保持板を先端が向き合うようにして立ち上げて構成し、該保持板の先端間には所要の広さの間隙を設けると共に、該保持板の夫々に、位置を合わせて少なくとも２箇所にクランプ杆の保持用切欠溝を設けてなる一対の保持枠と、バネ材からなり、いずれもＵ字形に折曲して両端部を上面からみて外側に直角に折曲し、更に上面からみて中央部を外側に膨らむように曲げると共に先端側を外側に所要の角度に曲げてなる一対のクランプ杆とをもって構成してなることを特徴とする竹ぼうき等の保管用クランプ。
【０００５】
また、上記（１）において、クランプ杆の保持用切欠溝を、可能な範囲で３箇所以上に設けるようにしてもよい。
【０００６】
更にまた、上記（１）において、支持基板の、一対の保持枠における保持板の先端対向間隙内の箇所に、所要数のネジ挿通孔を設ける一方、両端部を直角に折曲すると共に幅方向の中心部における前記支持基板に設けたネジ挿通孔と一致する箇所にネジ挿通孔を設けた帯板状の補強板を支持基板と別体に製作し、該帯板状の補強板を、一対の保持枠における両保持板の先端部分に跨がるように被せてネジ止めするようになしてもよい。
【０００７】
（２）一枚の板を折曲し、適宜の箇所に後記支持板とを貫通する取り付けネジの挿通孔を設けた方形の支持基板と、前記支持基板の前面に横方向に平行になるようになした、夫々前記支持基板の上下縁部に延設し、これを内向きに折曲して支持基板上に重なるようになした支持板の内端から断面Ｌ字形の保持板を先端が向き合うようにして立ち上げ、該保持板の先端間には所要の広さの間隙を設けると共に、該保持板の夫々に、位置を合わせて少なくとも２箇所にクランプ杆の保持用切欠溝を設けてなる一対の保持枠とを形成し、これと、バネ材からなり、いずれもＵ字形に折曲して両端部を上面からみて外側に直角に折曲し、更に上面からみて中央部を外側に膨らむように曲げると共に先端側を外側に所要の角度に曲げてなる一対のクランプ杆とをもって構成してなることを特徴とする竹ぼうき等の保管用クランプ。
【０００８】
【考案の実施の形態】
以下、本考案の実施の形態について図面を参照しつつ説明する。
図１は第１実施形態の斜視図、図２は右側面図、図３は平面図、図４は使用状態の正面図、図５はクランプ杆の他の例の平面図である。
【０００９】
図中、１は保管用クランプである。２は該保管用クランプ１における壁面に固定する方形の支持基板であり、適宜の箇所に取り付けネジの挿通孔２ａを設けている。尚、支持基板２は、本実施形態では壁面に固定するようにしているが、床面に固定するようにしてもよい。３、４は前記支持基板２の前面に、横方向に平行して固定した一対の保持枠である。また、該一対の保持枠３、４は、夫々支持基板２に溶接等によって接着した支持板３ａ、４ａの内端から断面Ｌ字形の保持板３ｂ、４ｂを先端が向き合うようにして立ち上げて構成している。そしてまた、該一対の保持枠３、４における保持板３ｂ、４ｂの先端間には後記クランプ杆の軸径よりもやや大きな間隙Ｓを設けている。更にまた、該一対の保持枠３、４における保持板３ｂ、４ｂには、位置を合わせて２箇所に夫々クランプ杆の保持用切欠溝５、５を設けている。尚、該保持板３ｂ、４ｂの夫々におけるクランプ杆の保持用切欠溝５、５の相互の間隔は、使用する物品に応じて適宜に決定される。即ち、使用する物品の柄の太さに応じて、太ければ相互の間隔を広げ、細ければ相互の間隔を狭めるようにする。
【００１０】
６、７は前記一対の保持枠３、４によって保持される一対のクランプ杆であり、保管する物品の柄或いは物品そのものを挟持するものである。また、該一対のクランプ杆６、７は、バネ材からなり、いずれもＵ字形に折曲して両端部６ａ、７ａを上面からみて外側に直角に折曲し、更に上面からみて中央部を外側に膨らむように曲げると共に、先端側を外側に所要の角度に曲げてなるものである。尚、図１乃至図４に示した実施形態にあっては中央部を円弧状に曲げているが、図５に示す如くくの字形に曲げてもよい。そして、該一対のクランプ杆６，７は、両端部６ａ、７ａを一対の保持枠３、４の間隙Ｓをくぐらせて保持板３ｂ、４ｂと支持基板２との間に形成される枠状空間内に嵌め込むと共に、本体の端部近傍部分をクランプ杆の保持用切欠溝５、５に保持するものである。尚、その他図中８は竹ぼうきを示す。
【００１１】
次に、本実施形態の作用について説明する。
図４に示す如く、例えば竹ぼうき８をクランプする場合には、該竹ぼうき８の柄の部分を一対のクランプ杆６、７間に押し込むものである。これにより一対のクランプ杆６、７は一旦押し広げられ、そして竹ぼうきの柄の部分が本体の中央部に入り込むと再び窄まり、バネ作用によってクランプするものである。そして、竹ぼうきの場合には、束ねた竹の枝に先端が曲がる等の置き癖がつくことを防ぐ効果も期待することができるものである。また、ゴムホースの場合には、これの一端側を一対のクランプ杆６，７間に挟持し、壁面に掛けておくようにするものである。
【００１２】
次に、図６及び図７に示した本考案の第２実施形態について説明する。
本実施形態と前記第１実施形態とは、本実施形態においてクランプ杆の保持用切欠溝５の数を第１実施形態よりも多く（本実施形態では夫々６箇所）した点に差異があり、これにより物品によって柄の太さが異なってもこれに対応することができるものである。そして、この場合、例えば柄の太さが細ければ中央の２つのクランプ杆の保持用切欠溝５、５を用い、柄の太さがこれより太ければ、一方のクランプ杆をそのままにして他方のクランプ杆を前のものより外側のクランプ杆の保持用切欠溝に入れ、或いはまた両方のクランプ杆をいずれも前のものより外側のクランプ杆の保持用切欠溝に入れるようにすればよい。尚、その他の構成並びに作用は、前記第１実施形態と同様であるから、同一の部材には同一の符号を付して詳細な説明は省略する。
【００１３】
次に、図８乃至図１０に示した本考案の第３実施形態について説明する。
本実施形態は、基本的には前記第１及び第２実施形態と同様である。而して本実施形態において前記第１及び第２実施形態と相違する点は、支持基板２の、一対の保持枠３、４における保持板３ｂ、４ｂの先端対向間隙Ｓ内の箇所に、所要数のネジ挿通孔２ａを設ける一方、両端部９ａ、９ａを直角に折曲すると共に幅方向の中心部における前記支持基板２に設けたネジ挿通孔２ａと一致する箇所にネジ挿通孔１０を設けた帯板状の補強板９を支持基板２と別体に製作し、該帯板状の補強板９を、一対の保持枠３、４における両保持板３ｂ、４ｂの先端部分に跨がるように被せてネジ止めするようになした点にある。尚、１１は止めネジである。
【００１４】
次に、図１１及び図１２に示した本考案の第４実施形態について説明する。
本実施形態において前記第１、第２並びに第３実施形態と相違する点は、支持基板２と一対の保持枠３、４とを一枚の板を折曲することによって一体的に形成する点にある。
【００１５】
即ち、一枚の板１Ａを折曲し、適宜の箇所に支持板３ａ、４ａとを貫通する取り付けネジの挿通孔２ａを設けた方形の支持基板２と、支持基板２の前面に横方向に平行になるようになした、夫々支持基板２の上下縁部に延設し、これを内向きに折曲して支持基板上に重なるようになした支持板３ａ、４ａの内端から断面Ｌ字形の保持板３ｂ、４ｂを先端が向き合うようにして立ち上げ、該保持板３ｂ、４ｂの先端間には所要の広さの間隙を設けると共に、該保持板３ｂ、４ｂの夫々に、位置を合わせて少なくとも２箇所にクランプ杆の保持用切欠溝５、５を設けてなる一対の保持枠３、４とを形成した点にある。尚、本実施形態にあってはクランプ杆の保持用切欠溝５の数を夫々６箇所とし且つまた支持基板２の幅方向の中央部にも取り付けネジの挿通孔２ａを設けている。また、一対のクランプ杆６、７は前記実施形態の通りであり、そしてまた作用も前記実施形態と同様であるから、詳細な説明は省略する。
【００１６】
而して、本実施形態の場合には、前記実施形態の如き支持基板と一対の保持枠とを別体のものとし、そしてこれらを溶接等によって組み立てるものと異なり、支持基板と一対の保持枠とを一枚の板を折曲することによって一体的に形成するものであるから、各部品を別体に製作する手間と、各部品を溶接等によって組み立てる手間を省き、能率よく製造することができるものである。
【００１７】
【考案の効果】
本考案は柄を有する物品を整頓して保管することができると共に風や振動によっても外れて倒れることがなく、またゴムホースの場合には壁面に掛けて保管することができるものである。そしてまた、保管するときには物品をワンタッチでクランプすることができ、また外すときにもワンタッチで行うことができる。したがって、整頓して保管することが面倒にならないものである。
【００１８】
また、クランプ杆の保持用切欠溝の数を多くした場合には、物品によって柄の太さが異なってもこれに対応することができるものである。
【００１９】
更にまた、支持基板の、一対の保持枠における保持板の先端対向間隙内の箇所に、所要数のネジ挿通孔を設ける一方、両端部を直角に折曲すると共に幅方向の中心部における前記支持基板に設けたネジ挿通孔と一致する箇所にネジ挿通孔を設けた帯板状の補強板を支持基板と別体に製作し、該帯板状の補強板を、一対の保持枠における両保持板の先端部分に跨がるように被せてネジ止めするようになした場合には、強度を増して重量のある物品に対応することができるものである。
【００２０】
また、請求項４の構成、即ち支持基板と一対の保持枠とを一枚の板を折曲することによって一体的に形成するようになした場合には、各部品を別体に製作する手間と、各部品を溶接等によって組み立てる手間を省き、能率よく製造することができるものである。
【図面の簡単な説明】
【図１】本考案の第１実施形態の斜視図である。
【図２】本考案の第１実施形態の右側面図である。
【図３】本考案の第１実施形態の平面図である。
【図４】本考案の第１実施形態の使用状態の正面図である。
【図５】クランプ杆の他の例の平面図である。
【図６】本考案の第２実施形態のクランプ杆を省略して示した正面図である。
【図７】本考案の第２実施形態の平面図である。
【図８】本考案の第３実施形態において用いる帯板状の補強板の斜視図である。
【図９】本考案の第３実施形態のクランプ杆を省略して示した正面図である。
【図１０】本考案の第３実施形態の右側面図である。
【図１１】本考案の第４実施形態のクランプ杆を省略して示した正面図である。
【図１２】本考案の第４実施形態の右側面図である。
【符号の説明】
１　保管用クランプ
２　支持基板
３、４　一対の保持枠
３ａ、４ａ　支持板
３ｂ、４ｂ　保持板
５、５　クランプ杆の保持用切欠溝
６、７　一対のクランプ杆
９　帯板状の補強板
１０　ネジ挿通孔
【図１】
0003097921.tif 000003
【図２】
0003097921.tif 000004
【図３】
0003097921.tif 000005
【図４】
0003097921.tif 000006
【図５】
0003097921.tif 000007
【図６】
0003097921.tif 000008
【図７】
0003097921.tif 000009
【図８】
0003097921.tif 000010
【図９】
0003097921.tif 000011
【図１０】
0003097921.tif 000012
【図１１】
0003097921.tif 000013
【図１２】
0003097921.tif 000014